(57)【特許請求の範囲】
【請求項１】
バッテリーモジュールの複数のバッテリーセルのうち対向するバッテリーセルの電極リードをリード溶接装置によって相互溶接するための方法であって、前記リード溶接装置が、
前記対向するバッテリーセルの２つの電極リードを相互溶接する溶接部；及び
溶接の際、前記対向するバッテリーセルの２つの電極リードを相互密着させ、前記２つの電極リードの一側から前記２つの電極リードを加圧する溶接治具部；
を含み、
前記２つの電極リードのうち前記溶接治具部の近くに配置される一方の電極リードは、前記溶接治具部の方向に曲がって前記一方の電極リードの一端部が前記２つの電極リードのうちのもう一方の電極リードから離間するように湾曲形成されており、
前記溶接部による溶接は、前記対向するバッテリーセルの前記２つの電極リード同士の重畳部分で行い、
前記溶接の際、前記溶接治具部が前記一方の電極リードの前記一端部を前記もう一方の電極リードの方へ加圧して前記一方の電極リードを弾性的に変形させ、前記一方の電極リードと前記もう一方の電極リードとを重畳させることを特徴とする、方法。
【請求項２】
前記バッテリーモジュールは、前記複数のバッテリーセルを収容し、前記電極リードを前記リード溶接装置の方向に露出させるモジュールケースを含み、
前記重畳部分は、溶接の際、前記モジュールケースと非接触することを特徴とする請求項１に記載の方法。
【請求項３】
前記溶接は、レーザー溶接であることを特徴とする請求項１又は２に記載の方法。
【請求項４】
請求項１から３のいずれか一項に記載の方法によって、バッテリーモジュールの複数のバッテリーセルのうち対向するバッテリーセルの電極リードを相互溶接することを特徴とするバッテリーモジュールの製造方法。
【請求項５】
少なくとも１つのバッテリーモジュール；及び
前記少なくとも１つのバッテリーモジュールをパッケージングするパックケース；を含むバッテリーパックの製造方法であって、
請求項４に記載のバッテリーモジュールの製造方法によって、前記バッテリーモジュールを製造することを特徴とするバッテリーパックの製造方法。
【発明の詳細な説明】
【技術分野】
【０００１】
本発明は、バッテリーパック及びこのようなバッテリーパックを含む自動車に関する。
【０００２】
本出願は、２０１６年５月１８日出願の韓国特許出願第１０−２０１６−００６０６８５号に基づく優先権を主張し、該当出願の明細書及び図面に開示された内容は、すべて本出願に援用される。
【背景技術】
【０００３】
製品群毎の適用性が高く、高いエネルギー密度などの電気的特性を有する二次電池は、携帯用機器だけでなく、電気的駆動源によって駆動する電気自動車（ＥＶ；Electric Vehicle）またはハイブリッド自動車（ＨＥＶ；Hybrid Electric Vehicle）などに普遍的に用いられている。このような二次電池は、化石燃料の使用を画期的に減少させるという一次的な長所だけでなく、エネルギーの使用による副産物が全く発生しないという点で環境にやさしく、エネルギー効率向上のための新たなエネルギー源として注目されている。
【０００４】
現在、リチウムイオン電池、リチウムポリマー電池、ニッケルカドミウム電池、ニッケル水素電池、ニッケル亜鉛電池などの二次電池が広く使用されている。このような単位二次電池セル、すなわち、単位バッテリーセルの作動電圧は約２．５Ｖ〜４．２Ｖである。したがって、これより高い出力電圧が求められる場合、多数の二次電池セルを直列で連結してバッテリーパックを構成することがある。また、バッテリーパックに求められる充放電容量に応じて多数のバッテリーセルを並列で連結してバッテリーパックを構成することもある。したがって、前記バッテリーパックに含まれるバッテリーセルの個数は、求められる出力電圧または充放電容量に応じて多様に設定され得る。
【０００５】
一方、多数のバッテリーセルを直列／並列で連結してバッテリーパックを構成する場合、少なくとも１つのバッテリーセルからなるバッテリーモジュールをまず構成し、このような少なくとも１つのバッテリーモジュールを用いてその他の構成要素を付け加え、バッテリーパックを構成する方法が一般的である。
【０００６】
従来のバッテリーモジュールは、一般に、複数のバッテリーセル及び該複数のバッテリーセルを収容するモジュールケースを含んで構成される。そして、モジュールケースは、ケース本体、及びケース本体の内部に備えられ、少なくとも１つのバッテリーセルを収納する複数のセルカートリッジを含んで構成される。従来のバッテリーモジュールにおいて、モジュールケースに収容される相互対向する２つのバッテリーセルの電極リードは、モジュールケースの外側でリード溶接装置によって相互溶接されて電気的に連結され得る。
そのため、従来のリード溶接装置は、モジュールケースの外側で相互重畳して配置される２つの電極リードをレーザー溶接などで相互溶接する溶接部、及び溶接時に対向するバッテリーセルの２つの電極リードの一側及び他側をそれぞれ加圧して２つの電極リードを重畳させる溶接治具部を含んで構成される。
【０００７】
しかし、従来のバッテリーモジュールでは、電極リードを溶接するとき、リード溶接装置の溶接治具部が２つの電極リードの一側及び他側でそれぞれ２つの電極リードを加圧しながら密着させるようになるが、加圧の際、２つの電極リードの両側からそれぞれ伝達される加圧力によってモジュールケースのケース本体及びセルカートリッジに必要以上の力が伝達され、ケース本体及びセルカートリッジが歪んだりまたは破損したりするなどの損傷が生じる恐れがある。
【０００８】
また、従来のバッテリーモジュールでは、このようなモジュールケースの損傷が、溶接部の溶接のためのレーザーなどの照射の際、溶接部の焦点距離偏差に影響を及ぼすようになって、溶接品質の低下につながるという問題がある。さらに、溶接品質の低下による電極リード同士の溶接不良は、以後接触抵抗を上昇させてバッテリーモジュールの発熱を引き起こし、また、外部の振動や衝撃が発生したとき、溶接された電極リード間の連結が切れ易いという問題を引き起こす。
【０００９】
そこで、上述した問題を解決できるように、バッテリーモジュールの複数のバッテリーセルの電極リード同士を溶接するとき、モジュールケースの損傷を防止すると同時に、溶接品質を向上できる方案が求められている。
【発明の概要】
【発明が解決しようとする課題】
【００１０】
したがって、本発明は、バッテリーモジュールの複数のバッテリーセルの電極リード同士の溶接の際、モジュールケースの損傷を防止するとともに、溶接品質を向上できるリード溶接装置、該リード溶接装置によって製造されるバッテリーモジュール及び該バッテリーモジュールを含むバッテリーパックを提供することを目的とする。
【課題を解決するための手段】
【００１１】
上記の課題を達成するため、本発明は、バッテリーモジュールの複数のバッテリーセルのうち対向するバッテリーセルの電極リードを相互溶接するためのリード溶接装置であって、前記対向するバッテリーセルの２つの電極リードを相互溶接する溶接部；及び溶接の際、前記対向するバッテリーセルの２つの電極リードを相互密着させ、前記２つの電極リードの一側から前記２つの電極リードを加圧する溶接治具部；を含むことを特徴とするリード溶接装置を提供する。
【００１２】
前記溶接部による溶接は、前記対向するバッテリーセルの前記２つの電極リード同士の重畳部分で行われ、前記溶接治具部は、前記２つの電極リードのうち前記溶接治具部に近く配置される電極リードの一端部を加圧して前記２つの電極リードを重畳させることができる。
【００１３】
前記２つの電極リードのうち前記溶接治具部に近く配置される電極リードは、前記溶接治具部の方向に曲がるように湾曲形成することができる。
【００１４】
前記溶接治具部に近く配置される電極リードは、溶接の際、前記溶接治具部によって弾性的に変形されながら、前記２つの電極リードのうち他の１つの電極リードと重畳することができる。
【００１５】
前記バッテリーモジュールは、前記複数のバッテリーセルを収容し、前記電極リードを前記リード溶接装置の方向に露出させるモジュールケースを含み、前記重畳部分は、溶接の際、前記モジュールケースと非接触することができる。
【００１６】
前記溶接は、レーザー溶接であり得る。
【００１７】
そして、本発明は、バッテリーモジュールであって、上述した実施例によるリード溶接装置によって製造されることを特徴とするバッテリーモジュールを提供する。
【００１８】
さらに、本発明は、バッテリーパックであって、上述した実施例による少なくとも１つのバッテリーモジュール；及び前記少なくとも１つのバッテリーモジュールをパッケージングするパックケース；を含むことを特徴とするバッテリーパックを提供する。
【発明の効果】
【００１９】
上述した多様な実施例によって、バッテリーモジュールの複数のバッテリーセルの電極リード同士の溶接の際、モジュールケースの損傷を防止するとともに溶接品質を向上できるリード溶接装置、該リード溶接装置によって製造されるバッテリーモジュール及び該バッテリーモジュールを含むバッテリーパックを提供することができる。
【００２０】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２１】
【図１】本発明の一実施例によるバッテリーモジュールを説明するための図である。
【図２】本発明の一実施例によるリード溶接装置を用いた図１のバッテリーモジュールの電極リード溶接を説明するための図である。
【図３】本発明の一実施例によるリード溶接装置を用いた図１のバッテリーモジュールの電極リード溶接を説明するための図である。
【図４】本発明の一実施例によるリード溶接装置を用いた図１のバッテリーモジュールの電極リード溶接を説明するための図である。
【図５】本発明の一実施例によるリード溶接装置を用いた図１のバッテリーモジュールの電極リード溶接を説明するための図である。
【図６】本発明の一実施例によるバッテリーパックを説明するための図である。
【発明を実施するための形態】
【００２２】
以下、添付された図面を参照して本発明の望ましい実施例を詳しく説明することで本発明をより明確にする。後述する実施例は発明の理解を助けるため例示的に示されるものであり、本発明が後述する実施例から多様に変形されて実施できることを理解せねばならない。また、発明の理解を助けるため、添付された図面は、実際の縮尺ではなく、一部構成要素の寸法が誇張して示され得る。
【００２３】
図１は、本発明の一実施例によるバッテリーモジュールを説明するための図である。
【００２４】
図１を参照すれば、バッテリーモジュール１０は、複数のバッテリーセル１００、１１０、１２０、１３０、１４０、１５０、及びモジュールケース２００を含むことができる。
【００２５】
前記複数のバッテリーセル１００、１１０、１２０、１３０、１４０、１５０は、パウチ型二次電池であり得、相互電気的に連結可能に積層され得る。前記複数のバッテリーセル１００、１１０、１２０、１３０、１４０、１５０は、求められるエネルギー容量などに応じて多様な個数で備えられ得、以下、本実施例では、第１〜第６バッテリーセル１００、１１０、１２０、１３０、１４０、１５０、すなわち、６つのバッテリーセルを備えた場合を挙げて説明する。
【００２６】
前記第１バッテリーセル１００は、電極組立体、前記電極組立体を収容する電池ケース１０２、及び前記電池ケース１０２の外側に突出して前記電極組立体と電気的に連結される電極リード１０５を含むことができる。
【００２７】
前記第２バッテリーセル１１０は、前記第１バッテリーセル１００と同様に、電極組立体、電池ケース１１２及び電極リード１１５を含むことができる。前記第２バッテリーセル１１０の前記電極リード１１５は、後述するモジュールケース２００の外側で前記第１バッテリーセル１００の前記電極リード１０５と溶接などによって電気的に連結され得る。
【００２８】
前記第３バッテリーセル１２０は、前記第１バッテリーセル１００及び前記第２バッテリーセル１１０と同様に、電極組立体、電池ケース１２２及び電極リード１２５を含むことができる。
【００２９】
前記第４バッテリーセル１３０は、前記第１〜第３バッテリーセル１００、１１０、１２０と同様に、電極組立体、電池ケース１３２及び電極リード１３５を含むことができる。前記第４バッテリーセル１３０の前記電極リード１３５は、後述するモジュールケース２００の外側で前記第３バッテリーセル１２０の前記電極リード１２５と溶接などによって電気的に連結され得る。
【００３０】
前記第５バッテリーセル１４０は、前記第１〜第４バッテリーセル１００、１１０、１２０、１３０と同様に、電極組立体、電池ケース１４２及び電極リード１４５を含むことができる。
【００３１】
前記第６バッテリーセル１５０は、前記第１〜第５バッテリーセル１００、１１０、１２０、１３０、１４０と同様に、電極組立体、電池ケース１５２及び電極リード１５５を含むことができる。前記第６バッテリーセル１５０の前記電極リード１５５は、後述するモジュールケース２００の外側で前記第５バッテリーセル１４０の前記電極リード１４５と溶接などによって電気的に連結され得る。
【００３２】
前記モジュールケース２００は、前記バッテリーモジュール１０の外観を形成し、前記複数のバッテリーセル１００、１１０、１２０、１３０、１４０、１５０、すなわち、前記第１〜第６バッテリーセル１００、１１０、１２０、１３０、１４０、１５０を収容することができる。ここで、前記モジュールケース２００は、前記第１〜第６バッテリーセル１００、１１０、１２０、１３０、１４０、１５０の前記電極リード１０５、１１５、１２５、１３５、１４５、１５５を前記モジュールケース２００の外側に露出させることができる。具体的に、前記モジュールケース２００は前記電極リード１０５、１１５、１２５、１３５、１４５、１５５を後述するリード溶接装置５００の方向に露出させることができる。
【００３３】
このような前記モジュールケース２００は、ケース本体２１０及び複数のセルカートリッジ２２０、２３０、２４０を含むことができる。
【００３４】
前記ケース本体２１０は、前記モジュールケース２００の外観を形成し、前記第１〜第６バッテリーセル１００、１１０、１２０、１３０、１４０、１５０、前記複数のセルカートリッジ２２０、２３０、２４０及び前記バッテリーモジュール１０を構成する各種部品などを収容することができる。
【００３５】
前記複数のセルカートリッジ２２０、２３０、２４０は、前記ケース本体２１０内に取り付けられ、前記第１〜第６バッテリーセル１００、１１０、１２０、１３０、１４０、１５０のうち少なくとも１つのバッテリーセルを収納して固定することができる。以下、本実施例では、１つのセルカートリッジが２つのバッテリーセルを収納する場合を挙げて説明する。
【００３６】
前記複数のセルカートリッジ２２０、２３０、２４０は、第１セルカートリッジ２２０、第２セルカートリッジ２３０及び第３セルカートリッジ２４０を含むことができる。
前記第１セルカートリッジ２２０は、前記第１バッテリーセル１００と前記第２バッテリーセル１１０を収納することができる。このような前記第１セルカートリッジ２２０は、前記第１バッテリーセル１００の前記ケース本体２１０の外側に突出した前記電極リード１０５と前記第２バッテリーセル１１０の前記ケース本体２１０の外側に突出した前記電極リード１１５とをガイドできるように、前記電極リード１０５、１１５の突出方向で前記ケース本体２１０の外側に所定部分突出して備えられ得る。
【００３７】
前記第２セルカートリッジ２３０は、前記第３バッテリーセル１２０と前記第４バッテリーセル１３０を収納することができる。このような前記第２セルカートリッジ２３０は、前記第３バッテリーセル１２０の前記ケース本体２１０の外側に突出した前記電極リード１２５と前記第４バッテリーセル１３０の前記ケース本体２１０の外側に突出した前記電極リード１３５とをガイドできるように、前記電極リード１２５、１３５の突出方向で前記ケース本体２１０の外側に所定部分突出して備えられ得る。
【００３８】
前記第３セルカートリッジ２４０は、前記第５バッテリーセル１４０と前記第６バッテリーセル１５０を収納することができる。このような前記第３セルカートリッジ２４０は、前記第５バッテリーセル１４０の前記ケース本体２１０の外側に突出した前記電極リード１４５と前記第６バッテリーセル１５０の前記ケース本体２１０の外側に突出した前記電極リード１５５とをガイドできるように、前記電極リード１４５、１５５の突出方向で前記ケース本体２１０の外側に所定部分突出して備えられ得る。
【００３９】
以下、前記バッテリーモジュール１０において、前記バッテリーセル１００、１１０、１２０、１３０、１４０、１５０の前記電極リード１０５、１１５、１２５、１３５、１４５、１５５同士の溶接工程について詳しく説明する。
図２〜図５は、本発明の一実施例によるリード溶接装置を用いた図１のバッテリーモジュールの電極リード溶接を説明するための図である。
【００４０】
図２〜図５を参照すれば、前記バッテリーモジュール１０の前記第１〜第６バッテリーセル１００、１１０、１２０、１３０、１４０、１５０の前記電極リード１０５、１１５、１２５、１３５、１４５、１５５は、リード溶接装置５００を用いて相互溶接して電気的に連結することができる。
【００４１】
前記リード溶接装置５００は、前記バッテリーモジュール１０の前記第１〜第６バッテリーセル１００、１１０、１２０、１３０、１４０、１５０のうち対向するバッテリーセル１００、１１０、１２０、１３０、１４０、１５０の電極リード１０５、１１５、１２５、１３５、１４５、１５５を相互溶接することができる。
【００４２】
すなわち、前記リード溶接装置５００は、前記第１バッテリーセル１００の前記電極リード１０５と前記第２バッテリーセル１１０の前記電極リード１１５とを相互電気的に連結されるように溶接し、前記第３バッテリーセル１２０の前記電極リード１２５と前記第４バッテリーセル１３０の前記電極リード１３５とを相互電気的に連結されるように溶接し、前記第５バッテリーセル１４０の前記電極リード１４５と前記第６バッテリーセル１５０の前記電極リード１５５とを相互電気的に連結されるように溶接することができる。
【００４３】
そのため、前記リード溶接装置５００は、装置本体部５２０、溶接部５４０及び溶接治具部５６０を含むことができる。
【００４４】
前記装置本体部５２０は、前記リード溶接装置５００の各種部品などを内蔵することができる。このような装置本体部５２０には、後述する溶接部５４０及び溶接治具部５６０を取り付けることができる。
【００４５】
前記溶接部５４０は、前記第１〜第６バッテリーセル１００、１１０、１２０、１３０、１４０、１５０のうち対向するバッテリーセル（１００と１１０、１２０と１３０、１４０と１５０）の２つの電極リード（１０５と１１５、１２５と１３５、１４５と１５５）を相互溶接することができる。
【００４６】
具体的に、前記溶接部５４０は、前記第１バッテリーセル１００の前記電極リード１０５と前記第２バッテリーセル１１０の前記電極リード１１５、前記第３バッテリーセル１２０の前記電極リード１２５と前記第４バッテリーセル１３０の前記電極リード１３５、及び前記第５バッテリーセル１４０の前記電極リード１４５と前記第６バッテリーセル１５０の前記電極リード１５５を、相互溶接することができる。そのため、前記溶接部５４０は３つ備えられ得る。すなわち、前記溶接部５４０は、前記バッテリーセル１００、１１０、１２０、１３０、１４０、１５０の個数の半分の個数で備えられ得る。
【００４７】
前記３つの溶接部５４０による溶接は、それぞれ、前記対向するバッテリーセル（１００と１１０、１２０と１３０、１４０と１５０）の前記２つの電極リード（１０５と１１５、１２５と１３５、１４５と１５５）の重畳部分で行われ得る。
【００４８】
このような前記３つの溶接部５４０を通じた溶接は、それぞれ、レーザー溶接であり得るが、溶接方式がこれに限定されることはなく、前記電極リード１０５、１１５、１２５、１３５、１４５、１５５を連結できるその他の方式の溶接方式で行われても良い。
【００４９】
前記溶接治具部５６０は、前記装置本体部５２０に摺動可能に取り付けられ、溶接の際、前記対向するバッテリーセル（１００と１１０、１２０と１３０、１４０と１５０）の２つの電極リード（１０５と１１５、１２５と１３５、１４５と１５５）を相互密着させ、前記２つの電極リード（１０５と１１５、１２５と１３５、１４５と１５５）の一側で前記２つの電極リード（１０５と１１５、１２５と１３５、１４５と１５５）を加圧することができる。
【００５０】
具体的に、前記溶接治具部５６０は、前記第１バッテリーセル１００の前記電極リード１０５と前記第２バッテリーセル１１０の前記電極リード１１５、前記第３バッテリーセル１２０の前記電極リード１２５と前記第４バッテリーセル１３０の前記電極リード１３５、及び前記第５バッテリーセル１４０の前記電極リード１４５と前記第６バッテリーセル１５０の前記電極リード１５５を、それぞれ加圧できるように３つ備えられ得る。すなわち、前記溶接治具部５６０も前記バッテリーセル１００、１１０、１２０、１３０、１４０、１５０の個数の半分の個数で備えられ得る。
【００５１】
このような前記３つの溶接治具部５６０は、それぞれ、前記２つの電極リード（１０５と１１５、１２５と１３５、１４５と１５５）のうち前記溶接治具部５６０の近くに配置される前記電極リード１１５、１３５、１５５の一端部を加圧して前記２つの電極リード（１０５と１１５、１２５と１３５、１４５と１５５）を重畳させることができる。
【００５２】
以下、前記リード溶接装置５００を用いた前記第１〜第６バッテリーセル１００、１１０、１２０、１３０、１４０、１５０の前記電極リード１０５、１１５、１２５、１３５、１４５、１５５の溶接工程についてより具体的に説明する。前記第３バッテリーセル１２０の前記電極リード１２５と前記第４バッテリーセル１３０の前記電極リード１３５との間の溶接、及び前記第５バッテリーセル１４０の前記電極リード１４５と前記第６バッテリーセル１５０の前記電極リード１５５との間の溶接は、前記第１バッテリーセル１００の前記電極リード１０５と前記第２バッテリーセル１１０の前記電極リード１１５との間の溶接と同様の方式で行われるため、以下では、前記第１バッテリーセル１００の前記電極リード１０５と前記第２バッテリーセル１１０の前記電極リード１１５との間の溶接を中心に説明する。
【００５３】
まず、前記リード溶接装置５００を用いた溶接工程の以前に、前記第１及び第２バッテリーセル１００、１１０のうち前記溶接治具部５６０の近くに配置される前記電極リード１１５は前記溶接治具部５６０の方向に曲がるように湾曲形成される。同様に、前記第４バッテリーセル１３０の前記電極リード１３５及び前記第６バッテリーセル１５０の前記    
【００５４】
電極リード１５５も、前記溶接治具部５６０の方向に曲がるように湾曲形成される。
【００５５】
これは、後述する前記溶接治具部５６０を用いた加圧の際、前記電極リード同士（１０５と１１５、１２５と１３５、１４５と１５５）の重畳部分で電極リード同士（１０５と１１５、１２５と１３５、１４５と１５５）がより緊密に密着できるようにするためである。
【００５６】
前記リード溶接装置５００を用いた溶接の際、前記溶接治具部５６０は、前記第２バッテリーセル１１０の前記電極リード１１５の一側で摺動して前記第２バッテリーセル１１０の前記電極リード１１５を加圧することができる。これによって、前記溶接治具部５６０の近くに配置される前記第２バッテリーセル１１０の前記電極リード１１５が弾性的に変形しながら、前記第１バッテリーセル１００の前記電極リード１０５と重畳することができる。
【００５７】
ここで、前記第２バッテリーセル１１０の前記電極リード１１５は、重畳部分の中心部で、曲面状態から変形しながら前記第１バッテリーセル１００の前記電極リード１０５と重畳するため、前記溶接治具部５６０が前記モジュールケース２００の方向に円滑に摺動しなくても、前記重畳部分の中心部で前記第１バッテリーセル１００の前記電極リード１０５とより緊密に密着することができる。これは、前記第３〜第６バッテリーセル（１２０と１３０、１４０と１５０）の前記電極リード（１２５と１３５、１４５と１５５）でも同様である。
【００５８】
そして、本実施例では、前記第１バッテリーセル１００の前記電極リード１０５と前記第２バッテリーセル１１０の前記電極リード１１５との重畳が１つの溶接治具部５６０を通じた加圧によって行われるため、前記第１バッテリーセル１００の前記電極リード１０５と前記第２バッテリーセル１１０の前記電極リード１１５とをガイドするために突出した第１セルカートリッジ２２０または前記ケース本体２１０への加圧力の伝達を最小化することができる。これは、第３〜第６バッテリーセル（１２０と１３０、１４０と１５０）の前記電極リード（１２５と１３５、１４５と１５５）でも同様である。
【００５９】
これにより、本実施例では、前記溶接治具部５６０を通じた加圧の際、前記モジュールケース２００の前記ケース本体２１０及び前記セルカートリッジ２２０、２３０、２４０への前記加圧力の伝達が最小化するため、前記加圧の際に発生し得る前記ケース本体２１０及びセルカートリッジ２２０、２３０、２４０の歪みまたは破損などの損傷を防止することができる。
【００６０】
その後、前記リード溶接装置５００は、前記溶接部５４０を通じて前記第１バッテリーセル１００の前記電極リード１０５と前記第２バッテリーセル１１０の前記電極リード１１５との重畳部分に前記レーザーなどを照射し、前記電極リード同士（１０５と１１５）を相互溶接することができる。このとき、前記重畳部分は、先行した溶接治具部５６０の加圧力伝達の最小化によって、前記モジュールケース２００の前記第１セルカートリッジ２２０と非接触状態を維持することができる。これによって、溶接時にも前記第１セルカートリッジ２２０は溶接によって発生し得る衝撃などの影響を受けずに済む。これは、前記第２セルカートリッジ２３０及び前記第３セルカートリッジ２４０でも同様である。
【００６１】
このように、本実施例によるバッテリーモジュール１０は、前記バッテリーモジュール１０の前記リード溶接装置５００を用いた溶接の際、前記モジュールケース２００の前記ケース本体２１０及び前記セルカートリッジ２２０、２３０、２４０の歪みまたは破損などの損傷を防止することができる。
【００６２】
そして、本実施例では、前記前記リード溶接装置５００の前記溶接部５４０による溶接の際、前記モジュールケース２００の損傷を防止できるため、前記溶接部５４０からレーザーなどを照射するとき、損傷されたモジュールケース２００による前記溶接部５４０の焦点距離偏差の発生などを防止することができる。
【００６３】
したがって、本実施例では、前記溶接部５４０の溶接品質を一層向上できるため、溶接不良によって生じ得る接触抵抗によるバッテリーモジュールの発熱や電極リード間の断線などをより確実に防止することができる。
【００６４】
以上のように、本実施例による前記バッテリーモジュール１０は、前記対向するバッテリーセル（１００と１１０、１２０と１３０、１４０と１５０）の前記２つの電極リード（１０５と１１５、１２５と１３５、１４５と１５５）同士を溶接するとき、前記モジュールケース２００の損傷を防止するとともに、溶接品質を著しく向上させることができる。
【００６５】
図６は、本発明の一実施例によるバッテリーパックを説明するための図である。
【００６６】
図６を参照すれば、バッテリーパック１は、上述した実施例による少なくとも１つのバッテリーモジュール１０、及び前記少なくとも１つのバッテリーモジュール１０をパッケージングするパックケース５０を含むことができる。
【００６７】
このような前記バッテリーパック１は、自動車の燃料源として自動車に装着することができる。例えば、前記バッテリーパック１は、電気自動車、ハイブリッド自動車及びその他バッテリーパック１を燃料源として使用可能なその他の方式で自動車に装着することができる。また、前記バッテリーパック１は、前記自動車の外にも、二次電池を使用する電力貯蔵装置（Energy Storage System）などのその他の装置や器具及び設備などにも装着できることは言うまでもない。
【００６８】
このように、本実施例による前記バッテリーパック１、及び前記自動車のような前記バッテリーパック１を備える装置や器具及び設備は、上述した前記バッテリーモジュール１０を含むため、上述したバッテリーモジュール１０による長所をすべて有するバッテリーパック１及び前記バッテリーパック１を備える自動車などの装置や器具及び設備などを具現することができる。
【００６９】
以上、本発明の望ましい実施例を図示し説明したが、本発明が上述した特定の実施例に限定されることはなく、特許請求の範囲で請求する本発明の要旨から逸脱することなく発明が属する技術分野で通常の知識を持つ者によって多様な変形実施が可能であり、このような変形実施は本発明の技術的思想や見込みから個別的に理解されてはならない。
【符号の説明】
【００７０】
１  バッテリーパック
１０  バッテリーモジュール
５０  パックケース
１００  バッテリーセル
１０２  電池ケース
１０５  電極リード
１１０  バッテリーセル
１１２  電池ケース
１１５  電極リード
１２０  バッテリーセル
１２２  電池ケース
１２５  電極リード
１３０  バッテリーセル
１３２  電池ケース
１３５  電極リード
１４０  バッテリーセル
１４２  電池ケース
１４５  電極リード
１５０  バッテリーセル
１５２  電池ケース
１５５  電極リード
２００  モジュールケース
２１０  ケース本体
２２０  第１セルカートリッジ
２３０  第２セルカートリッジ
２４０  第３セルカートリッジ
５００  リード溶接装置
５２０  装置本体部
５４０  溶接部
５６０  溶接治具部
【図１】
0006661765.tif 000002
【図２】
0006661765.tif 000003
【図３】
0006661765.tif 000004
【図４】
0006661765.tif 000005
【図５】
0006661765.tif 000006
【図６】
0006661765.tif 000007